(57)【要約】      （修正有）【課題】電気基板の組み付け時に、電極部材が不適切に変形してしまうことを抑制することができる画像形成装置を提供する。【解決手段】メインフレーム２１を挟んで画像形成部と反対側に配設され、メインフレーム２１と対向する部位に第１端子部が設けられた板状の電気基板２３と、メインフレーム２１に設けられ、電気基板２３の一端部に接触して電気基板２３を係止する第１係止部２９、３１と、メインフレーム２１に設けられ、電気基板２３の他端部に接触して電気基板２３を係止するとともに、第１係止部２９、３１に比べて小さな力で弾性変形可能な第２係止部３３、３５と、一端部より他端部に近い位置に配設され、圧縮変形した状態で第１端子部と電気的に接続し、かつ、弾性的に変形可能な第１電極部材とを設けた構成とする。【選択図】図８
2014071218.tif 000002
【特許請求の範囲】
【請求項１】
シートに画像を形成する電子写真方式の画像形成部と、
前記画像形成部を支持する板状のフレームと、
前記フレームを挟んで前記画像形成部と反対側に配設され、前記フレームと対向する部位に第１端子部が設けられた板状の電気基板と、
前記フレームに設けられ、前記電気基板の一端部に接触して前記電気基板を係止する第１係止部と、
前記フレームに設けられ、前記電気基板の他端部に接触して前記電気基板を係止するとともに、前記第１係止部に比べて小さな力で弾性変形可能な第２係止部と、
前記一端部より前記他端部に近い位置に配設され、圧縮変形した状態で前記第１端子部と電気的に接続し、かつ、弾性的に変形可能な第１電極部材と
を備えることを特徴とする画像形成装置。
【請求項２】
前記電気基板の板面は、上下方向に平行であり、
さらに、前記第１係止部は、少なくとも、水平方向に伸張して前記電気基板の下端面を下側から支持する下端受部を有することを特徴とする請求項１に記載の画像形成装置。
【請求項３】
前記第１係止部は、前記下端受部に加え、水平方向に伸張して前記電気基板の側端面を保持する側端保持部を有することを特徴とする請求項２に記載の画像形成装置。
【請求項４】
前記フレームには、通風用の開口部が設けられており、
さらに、前記開口部は、前記第２係止部より前記第１係止部に近い位置に設けられていることを特徴とする請求項１ないし３のいずれか１項に記載の画像形成装置。
【請求項５】
前記電気基板の下端側のうち前記フレームと対向する部位に設けられ、上下方向に延びる線状の第２端子部と、
圧縮変形した状態で前記第２端子部と接触するとともに、弾性的に変形可能な第２電極部材と
を備えることを特徴とする請求項２又は３に記載の画像形成装置。
【請求項６】
前記画像形成部は、現像剤像を担持する複数の感光ドラムを有し、
前記複数の感光ドラムは、当該感光ドラムの軸方向と直交する方向に沿って直列に配設されており、
さらに、前記電気基板の外形寸法のうち、前記複数の感光ドラムの並び方向と平行な部位の外形寸法は、当該並び方向と直交する方向と平行な部位の外形寸法に比べて大きいことを特徴とする請求項１ないし５のいずれか１項に記載の画像形成装置。
【請求項７】
前記電気基板のうち前記フレームと対向する部位には、前記第１端子部が一体化された変圧器が配設されており、
さらに、前記第１電極部材は、圧縮変形した状態で前記第１端子部と接触していることを特徴とする請求項１ないし６のいずれか１項に記載の画像形成装置。
【請求項８】
前記第１電極部材は、金属製の線材がコイルばね状に成形されたものであることを特徴とする請求項１ないし７のいずれか１項に記載の画像形成装置。
【発明の詳細な説明】
【技術分野】
【０００１】
本発明は、シートに画像を形成する電子写真方式の画像形成装置に関する。
【背景技術】
【０００２】
例えば、特許文献１に記載の画像形成装置では、画像形成部を支持する略板状のフレームに板状の電気基板を組み付けている。そして、電気基板のうちフレーム側に設けられた端子部は、圧縮弾性変形した電極部材に接触している。
【先行技術文献】
【特許文献】
【０００３】
【特許文献１】特開２０１１−２３２５１３号公報
【発明の概要】
【発明が解決しようとする課題】
【０００４】
ところで、特許文献１に記載の発明では、組立作業者又は組立自動機が、電気基板を介して電極部材を押圧し、電極部材を圧縮変形させた後、電気基板をフレームに組み付け固定する必要がある。このため、圧縮変形方向の寸法が大きい電極部材においては、電極部材が圧縮変形する際に、当該電極部材が座屈するように不適切に変形してしまうおそれがある。
【０００５】
なお、電極部材の座屈は、電極部材の圧縮変形方向と電気基板の押圧方向とが一致していないとき、つまり、電極部材の圧縮変形方向と電気基板の板面とのなす角が９０度から大きくずれているときに発生し易い。
【０００６】
本発明は、上記点に鑑み、電気基板の組み付け時に、電極部材が不適切に変形してしまうことを抑制することを目的とする。
【課題を解決するための手段】
【０００７】
本発明は、上記目的を達成するために、シートに画像を形成する電子写真方式の画像形成部（５）と、画像形成部（５）を支持する板状のフレーム（２１）と、フレーム（２１）を挟んで画像形成部（５）と反対側に配設され、フレーム（２１）と対向する部位に第１端子部（２３Ｃ、２３Ｄ）が設けられた板状の電気基板（２３）と、フレーム（２１）に設けられ、電気基板（２３）の一端部に接触して電気基板（２３）を係止する第１係止部（２９、３１）と、フレーム（２１）に設けられ、電気基板（２３）の他端部に接触して電気基板（２３）を係止するとともに、第１係止部（２９、３１）に比べて小さな力で弾性変形可能な第２係止部（３３、３５）と、一端部より他端部に近い位置に配設され、圧縮変形した状態で第１端子部（２３Ｃ、２３Ｄ）と電気的に接続し、かつ、弾性的に変形可能な第１電極部材（２７Ａ）とを備えることを特徴とする。
【０００８】
これにより、本発明では、先ず、第１係止部（２９、３１）にて電気基板（２３）を係止した後、第２係止部（３３、３５）にて電気基板（２３）を係止できる。このとき、第１係止部（２９、３１）は、電気基板（２３）の一端部に接触して電気基板（２３）を係止し、第２係止部（３３、３５）は、電気基板（２３）の他端部に接触して電気基板（２３）を係止する。
【０００９】
このため、組立作業者又は組立自動機は、一端部側を揺動中心として他端部側を揺動させるようにして電気基板（２３）をフレーム（２１）に組み付けることができる。したがって、第１電極部材（２７Ａ）の圧縮変形方向寸法が大きい場合であっても、第１電極部材（２７Ａ）の圧縮変形方向と電気基板（２３）の板面とのなす角を略９０とすることが可能となる。
【００１０】
以上により、本発明では、電気基板（２３）の組み付け時に、第１電極部材が不適切に変形してしまうことを抑制できる。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１１】
【図１】本発明の実施形態に係る画像形成装置の中央断面図である。
【図２】本発明の実施形態に係る画像形成装置のメインフレーム２１を示す図である。
【図３】本発明の実施形態に係るメインフレーム２１と電気基板２３との関係を示す図である。
【図４】本発明の実施形態における、メインフレーム２１、電気基板２３及びカバー２５の配置関係を示す図である。
【図５】本発明の実施形態に係る電気基板２３の斜視図である。
【図６】本発明の実施形態に係る電気基板２３の正面図である。
【図７】本発明の実施形態に係るメインフレーム２１の正面図である。
【図８】本発明の実施形態に係るメインフレーム２１に電気基板２３を組み付けた状態を示す図である。
【図９】本発明の実施形態に係る画像形成部５と電気基板２３との導通構造を示す図である。
【図１０】本発明の実施形態に係る画像形成装置１の特徴を説明するための図である。
【発明を実施するための形態】
【００１２】
以下に説明する「発明の実施形態」は実施形態の一例を示すものである。つまり、特許請求の範囲に記載された発明特定事項等は、下記の実施形態に示された具体的手段や構造等に限定されるものではない。
【００１３】
そして、本実施形態は、カラー印刷が可能な電子写真方式の画像形成装置に本発明を適用したものである。以下、本発明の実施形態を図面と共に説明する。
１．画像形成装置の概要
画像形成装置１の筐体３内には、図１に示すように、記録用紙等のシートに画像を形成する電子写真方式の画像形成部５が収納されている。この画像形成部５は、プロセスカートリッジ７、露光器９及び定着器１１等を有している。
【００１４】
なお、本実施形態に係る画像形成部５は、後述する感光ドラム７Ａの軸方向と直交する方向に沿って直列に複数個（本実施形態では、４個）のプロセスカートリッジ７が配設されたダイレクトタンデム方式の画像形成手段である。
【００１５】
そして、各プロセスカートリッジ７は、装置本体に着脱自在に装着されている。なお、各プロセスカートリッジ７は、収納されている現像剤の色が異なるのみで、その構造等は略同一である。具体的には、各プロセスカートリッジ７は、感光ドラム７Ａ及び帯電器３Ｂ等を有している。装置本体とは、例えば筐体３や後述するメインフレーム２１等の利用者により分解されない部分をいう。
【００１６】
感光ドラム７Ａは、シートに転写される現像剤像を担持する。帯電器３Ｂは、感光ドラム７Ａを帯電させる。露光器９は、帯電した感光ドラム７Ａを露光して感光ドラム７Ａに静電潜像を形成する。なお、各感光ドラム７Ａは、その軸方向がシートの搬送方向と直交しているとともに、シートの搬送方向に沿って直列に並んでいる。
【００１７】
転写ベルト１３を挟んで各感光ドラム７Ａと対向する位置には、各感光ドラム７Ａに担持されている現像剤をシートに転写させる転写部１５が配設されている。このとき、各感光ドラム７Ａに担持されている現像剤像は、転写ベルト１３上を搬送されるシートに重畳転写される。そして、シートに転写された現像剤は、定着器１１にて加熱されてシートに定着する。
【００１８】
転写ベルト１３の下方側には、シートが積層状態で載置される給紙トレイ１７が配設されている。給紙トレイ１７に載置されているシートは、フィーダ機構１９により１枚ずつ画像形成部５側に送出される。
【００１９】
２．メインフレーム及び電気基板
２．１  メインフレーム及び電気基板の構成
プロセスカートリッジ７等の画像形成部５を構成する機器は、図２に示す一対のメインフレーム２１間に配設された状態でメインフレーム２１に支持される。一対のメインフレーム２１は、略板状に構成されているとともに、幅方向において離隔した状態で互いの板面が平行となるように配設されている。
【００２０】
なお、幅方向とは、感光ドラム７Ａの軸方向と平行な方向である。また、本実施形態では、シートの搬送方向は前後方向と一致する。このため、本実施形態に係る各感光ドラム７Ａは、前後方向に直列に並んでいる。
【００２１】
一対のメインフレーム２１は樹脂製である。そして、各メインフレーム２１には、図３に示すように、一体成形された多数の補強部２１Ａが設けられている。補強部２１Ａは、板面から幅方向に突出した壁状又は突条の部位である。なお、メインフレーム２１の板面とは、完全な平面として存在するものではなく、メインフレーム２１の外観が略板状であることから想起される仮想面である。
【００２２】
また、一対のメインフレーム２１のうち少なくとも一方のメインフレームには、図２に示すように、電気基板２３が組み付けられている。電気基板２３は、画像形成部５等を制御する制御部を構成する。そして、電気基板２３の板面、及び各メインフレーム２１の板面は、上下方向に略平行である。
【００２３】
因みに、電気基板２３は、帯電器３Ｂや転写部１５等の高電圧機器を制御する。一方、紙面左側のメインフレーム２１には、電源等の低電圧機器を制御する電気基板（図示せず）が組み付けられている。そして、紙面左側のメインフレーム２１に組み付けられた電気基板と電気基板２３とは、図示しないケーブルにより電気的に接続されている。
【００２４】
なお、以下、特に断りをした場合を除き、メインフレーム２１とは、電気基板２３が組み付けられたメインフレーム２１、つまり、図２において、右側に配置されたメインフレーム２１をいう。
【００２５】
電気基板２３は、図４に示すように、メインフレーム２１を挟んで画像形成部５と反対側に配設された状態でメインフレーム２１に組み付けられている。そして、メインフレーム２１及び電気基板２３は、外側からカバー２５により覆われている。
【００２６】
なお、カバー２５は、画像形成装置１の外観意匠面を構成する部材である。そして、カバー２５は、スナップフィット等の弾性変形を利用した係止手段又はネジ等の締結手段によりメインフレーム２１に固定されている。因みに、図４では、カバー２５をメインフレーム２１に固定するスナップフィット等は図示されていない。
【００２７】
電気基板２３のうちメインフレーム２１と対向する面には、図５に示すように、変圧器２３Ａ、２３Ｂやコンデンサ等の電気部品、並びに第１端子部２３Ｃ、２３Ｄ及び第２端子部２３Ｅ、２３Ｆ等が設けられている。因みに、各電気部品は、いわゆるスルーホール実装にて電気基板２３に固定されている。
【００２８】
第１端子部２３Ｃ、２３Ｄは、変圧器２３Ａ、２３Ｂのコイル（図示せず。）を覆う樹脂製のケーシングに一体化されている。このため、第１端子部２３Ｃ、２３Ｄは、電気基板２３の板面よりメインフレーム２１に近接している。
【００２９】
第２端子部２３Ｅ、２３Ｆは、電気基板２３の板面上に配設された線状金属にて構成されている。なお、電気基板２３の板面上には、図６に示すように、多数の線状金属にて構成された線状端子が配設されている。そして、本実施形態では、多数の線状端子のうち、電気基板２３の下端側において上下方向に延びる線状端子を、第２端子部２３Ｅ、２３Ｆとして符号を付している。
【００３０】
そして、第１端子部２３Ｃ、２３Ｄは、図５に示すように、第１電極部材２７Ａと電気的に接続している。第２端子部２３Ｅ、２３Ｆは、第２電極部材２７Ｂと電気的に接続している。第１電極部材２７Ａ及び第２電極部材２７Ｂは、共に弾性変形可能な部材である。
【００３１】
すなわち、第１電極部材２７Ａ及び第２電極部材２７Ｂは、図３に示すように、メインフレーム２１と電気基板２３との間に配設されている。そして、第１電極部材２７Ａ及び第２電極部材２７Ｂそれぞれは、圧縮変形した状態で第１端子部２３Ｃ、２３Ｄ及び第２端子部２３Ｅ、２３Ｆに接触して電気的に接続されている。なお、図３では第２電極部材２７Ｂが図示されていない。
【００３２】
また、本実施形態に係る第１電極部材２７Ａ及び第２電極部材２７Ｂは、図５に示すように、金属製の線材がコイルばね状に成形されたものである。そして、第１電極部材２７Ａ及び第２電極部材２７Ｂは、図７に示すように、メインフレーム２１に設けられた筒状の保持部２１Ｂ、又は円柱突起状の保持部２１Ｃに保持されている。
【００３３】
なお、保持部２１Ｂ、２１Ｃは、メインフレーム２１に板面に対して直交する方向に突出している。このため、本実施形態では、保持部２１Ｂ、２１Ｃの突出方向、つまり第１電極部材２７Ａ及び第２電極部材２７Ｂの長手方向は、水平方向と一致する。
【００３４】
２．２  電気基板とメインフレームとの固定構造
電気基板２３は、図２に示すように、複数の感光ドラム７Ａの並び方向、つまり前後方向の外形寸法Ｌ１が、当該並び方向と直交する方向の外形寸法Ｌ２に比べて大きい板状である。
【００３５】
そして、メインフレーム２１には、図８に示すように、電気基板２３の端部に接触して電気基板２３をメインフレーム２１に係止する第１係止部２９、３１、第２係止部３３、３５及び第３係止部３７が設けられている。
【００３６】
第１係止部２９、３１は、電気基板２３の一端部に接触して電気基板２３を係止する。第２係止部３３、３５は、電気基板２３の他端部に接触して電気基板２３を係止する。ここで、電気基板２３の他端部とは、略矩形板状の電気基板２３の端部のうちいずれかの端部を一端部としたとき、当該一端部と異なる端部を他端部という。
【００３７】
そして、本実施形態では、電気基板２３の下端側であって前後方向後方側の端部を一端部として第１係止部２９、３１を設けている。そして、当該一端部に対して上方側にずれた端部に第２係止部３３を設け、かつ、当該一端部に対して前後方向前方側にずれた端部に第２係止部３５を設けている。
【００３８】
また、第２係止部３３、３５は、第１係止部２９、３１に比べて小さな力で弾性変形可能な構成となっている。すなわち、第１係止部２９、３１は、図８に示すように、補強部２１Ａ、及び補強部２１Ａから突出した突起部２９Ａ、３１Ａを有している。突起部２９Ａ、３１Ａは、補強部２１Ａの先端側から電気基板２３と平行に電気基板２３側に突出し、かつ、補強部２１Ａに一体形成されている。
【００３９】
そして、第１係止部２９、３１を構成する補強部２１Ａは、メインフレーム２１の板面から水平方向に突出している。つまり、第１係止部２９の補強部２１Ａは、水平方向に伸張して電気基板２３の下端面を下側から支持する下端受部として機能する。また、第１係止部３１の補強部２１Ａは、水平方向に伸張して電気基板２３の側端面を保持する側端保持部として機能する。
【００４０】
第２係止部３３、３５及び第３係止部３７は、図４に示すように、スナップフィット状の係止手段である。つまり、第２係止部３３、３５及び第３係止部３７は、メインフレーム２１の板面側から電気基板２３側に延びる帯板状の梁部を有している。そして、第２係止部３３、３５及び第３係止部３７は、当該梁部を有しているため、第１係止部２９、３１に比べて小さな力で弾性変形する。
【００４１】
また、メインフレーム２１には、図７に示すように、通風用の開口部３９が設けられている。この開口部３９は、第２係止部３３、３５より第１係止部２９、３１に近い位置に設けられている。因みに、開口部３９には、筐体３内を換気するためのファン（図示せず。）が装着される。
【００４２】
ここで、「開口部３９が第２係止部３３、３５より第１係止部２９、３１に近いとは、例えば、開口部３９の外縁部から第１係止部２９、３１までの距離寸法が、開口部３９の外縁部から第２係止部３３、３５までの距離寸法より小さいことをいう。
【００４３】
３．その他の構成
３．１  第２係止部３３、３５及び第３係止部３７の外れ止め
カバー２５には、図４に示すように、第２係止部３３、３５及び第３係止部３７が電気基板２３から離隔することを抑制する規制部２５Ａが設けられている。このため、第３係止部３７が電気基板２３から大きく離間して係止状態が解除してしまうことが抑制される。
【００４４】
３．２  電気基板に作用する衝撃力の緩和
メインフレーム２１には、図３に示すように、電気基板２３に設けられた貫通穴２３Ｇを貫通してカバー２５側に到達する柱部２１Ｄが設けられている。なお、本実施形態に係る柱部２１Ｄは、メインフレーム２１に一体形成されている。
【００４５】
これにより、カバー２５に衝撃力が作用し、カバー２５が電気基板２３側に変形した場合であっても、当該衝撃力を柱部２１Ｄで受けることにより、カバー２５が電気基板２３側に大きく変形してしまうことを抑制できる。したがって、電気基板２３に作用する衝撃力を緩和できる。
【００４６】
３．３  電気基板と画像形成部等との導通構造
画像形成部５等と電気基板２３との間には、図４に示すように、メインフレーム２１が存在する。そして、従来は、メインフレーム２１に貫通穴を設け、当該貫通穴にコイルばね状の電極部材を圧縮変形させた状態で挿通することで、電気基板２３と画像形成部５との導通を確保していた。
【００４７】
このため、従来は、電極部材の圧縮反力の全てが電気基板２３に作用せざるを得ないため、電気基板２３がカバー２５側に膨らむように変形してしまうおそれがあった。そして、電気基板２３がカバー２５側に変形すると、カバー２５に作用する衝撃力が小さい場合であっても、電気基板２３とカバー２５とが接触して電気基板２３が損傷してしまうおそれがあった。
【００４８】
そこで、本実施形態では、図９に示すように、メインフレーム２１を挟んで両側にコイルばね状の電極部材３９Ａ、３９Ｂを配設するとともに、電極部材３９Ａと電極部材３９Ｂとをリード線３９Ｃ等の導通部材で電気的に接続している。
【００４９】
これにより、電極部材３９Ａ、３９Ｂの圧縮反力をメインフレーム２１及び電気基板２３で受けることとなる。このため、圧縮反力を電気基板２３のみで受ける場合に比べて電気基板２３に作用する圧縮反力を緩和できるので、電気基板２３の変形を抑制できる。
【００５０】
また、メインフレーム２１には、両側から圧縮反力が作用するので、メインフレーム２１に作用する圧縮反力が相殺又は緩和される。したがって、電極部材３９Ａ、３９Ｂの圧縮変形に伴ってメインフレーム２１に発生する応力を緩和できる。
【００５１】
４．本実施形態に係る画像形成装置の特徴
本実施形態では、先ず、第１係止部２９、３１にて電気基板２３を係止した後、第２係止部３３、３５にて電気基板２３を係止できる。このとき、第１係止部２９、３１は、電気基板２３の一端部に接触して電気基板２３を係止し、第２係止部３３、３５は、電気基板２３の他端部に接触して電気基板２３を係止する。
【００５２】
このため、組立作業者又は組立自動機は、図１０に示すように、一端部側を揺動中心として他端部側を揺動させるようにして電気基板２３をメインフレーム２１に組み付けることができる。したがって、第１電極部材２７Ａの圧縮変形方向寸法が大きい場合であっても、第１電極部材２７Ａの圧縮変形方向と電気基板２３の板面とのなす角を略９０とすることが可能となる。
【００５３】
以上により、本実施形態では、電気基板２３の組み付け時に、第１電極部材２７Ａが不適切に変形してしまうことを抑制できる。なお、図１０は、電気基板２３の下端側を揺動中心とした例を示す例であるが、電気基板２３の後端側を揺動中心としても同様な作用・効果を得ることができる。
【００５４】
また、本実施形態は、電気基板２３の板面は、上下方向に平行であり、さらに、第１係止部２９、３１は、少なくとも、水平方向に伸張して電気基板２３の下端面を下側から支持する下端受部を有することも特徴とする。
【００５５】
すなわち、本実施形態では、メインフレーム２１から電気基板２３側に突出した第１電極部材２７Ａは、重力の影響により、先端側が根元側より下方側に位置して傾く。このため、第１電極部材２７Ａの圧縮変形方向は、水平方向に対して傾いた状態となる。
【００５６】
これに対して、本実施形態では、電気基板２３の下端面を下側から支持する下端受部（補強部２１Ａ）を有するので、図１０に示すように、組立作業者又は組立自動機は、下端部側を揺動中心として上端部側を揺動させるようにして電気基板２３をメインフレーム２１に組み付けることができる。
【００５７】
このため、上端側に配設された第１電極部材２７Ａについては、第１電極部材２７Ａの圧縮変形方向寸法が大きい場合であっても、第１電極部材２７Ａの圧縮変形方向と電気基板２３の板面とのなす角を略９０とすることが可能となる。
【００５８】
また、本実施形態では、第１係止部２９、３１は、上記下端受部に加え、水平方向に伸張して電気基板２３の側端面を保持する側端保持部を有することも特徴とする。
これにより、本実施形態では、最初に、電気基板２３の角部を係止した状態で電気基板２３の他端側を係止することが可能となる。つまり、電気基板２３を上下方向及び水平方向をメインフレーム２１に対して位置決めした状態で、電気基板２３の他端側を係止することが可能となる。
【００５９】
また、本実施形態に係るメインフレーム２１には、通風用の開口部３９が設けられており、さらに、開口部３９は、第２係止部３３、３５より第１係止部２９、３１に近い位置に設けられていることも特徴とする。
【００６０】
ところで、第２係止部３３、３５は、第１係止部２９、３１に比べて小さな力で弾性変形可能であるので、第２係止部３３、３５周囲の剛性は、他の部位に比べて剛性が低下し易い。このため仮に、開口部３９が第１係止部２９、３１より第２係止部３３、３５に近い位置に設けられていると、第２係止部３３、３５周囲の剛性が過度に低下し、必要な剛性を容易に確保できない可能性がある。
【００６１】
これに対して、本実施形態では、開口部３９が第２係止部３３、３５より第１係止部２９、３１に近い位置に設けられているので、第２係止部３３、３５周囲の剛性が過度に低下することを抑制でき、必要な剛性を容易に確保することが可能となる。
【００６２】
また、本実施形態では、電気基板２３の下端側のうちメインフレーム２１と対向する部位に設けられ、上下方向に延びる線状の第２端子部２３Ｅ、２３Ｆと、圧縮変形した状態で第２端子部２３Ｅ、２３Ｆと接触するとともに、弾性的に変形可能な第２電極部材２７Ｂとを備えることも特徴とする。
【００６３】
これにより、本実施形態では、第１係止部２９、３１に電気基板２３が係止される際に、第２電極部材２７Ｂが第２端子部２３Ｅ、２３Ｆに接触したまま、電気基板２３が容易に上下方向に平行移動できる。したがって、組立作業者又は組立自動機により、電気基板２３を第１係止部２９、３１に係止させる際に、第２電極部材２７Ｂが第２端子部２３Ｅ、２３Ｆからずれてしまうことを抑制できる。
【００６４】
また、本実施形態では、電気基板２３のうちメインフレーム２１と対向する部位には、第１端子部２３Ｃ、２３Ｄが一体化された変圧器２３Ａ、２３Ｂが配設されており、さらに、第１電極部材２７Ａは、圧縮変形した状態で第１端子部２３Ｃ、２３Ｄと接触していることも特徴とする。
【００６５】
そして、変圧器２３Ａ、２３Ｂは、図５に示すように、他の電気部品等に比べて大きくメインフレーム２１側に突出しているので、変圧器２３Ａ、２３Ｂの第１端子部２３Ｃ、２３Ｄに接触する第１電極部材２７Ａは、他の電極部材に比べて大きく圧縮変形する。
【００６６】
このため、変圧器２３Ａ、２３Ｂの第１端子部２３Ｃ、２３Ｄに接触する第１電極部材２７Ａは、電気基板２３がメインフレーム２１に組み付けられる際に、大きく座屈する可能性が高い。したがって、本発明を本実施形態に適用すれば、好適である。
【００６７】
（その他の実施形態）
上述の実施形態では、電気基板２３の一端部として、電気基板２３の下端側、かつ、後端側を選択したが、本発明はこれに限定されるものではなく、例えば、電気基板２３の上端側、かつ、後端側を電気基板２３の一端部として選択してもよい。
【００６８】
また、上述の実施形態では、電気基板２３の板面を上下方向に平行としたが、本発明はこれに限定されるものではない。
また、上述の実施形態では、開口部３９が第２係止部３３、３５より第１係止部２９、３１に近い位置に設けられていたが、本発明はこれに限定されるものではなく、例えば、開口部３９を廃止する、又は開口部３９を第１係止部２９、３１より第２係止部３３、３５に近い位置に設けてもよい。
【００６９】
また、第１係止部２９、３１及び第２係止部３３、３５の具体的な構成は、上述の実施形態に示された構成に限定されるものではなく、例えば第１係止部２９、３１もスナップフィット状とするともに、当該スナップフィットの梁部の剛性を第２係止部３３、３５より大きくしてもよい。
【００７０】
また、上述の実施形態に係る第１電極部材２７Ａ及び第２電極部材２７Ｂは、コイルばね状であったが、本発明はこれに限定されるものではなく、例えばトーションバー状としてもよい。
【００７１】
また、本発明は、特許請求の範囲に記載された発明の趣旨に合致するものであればよく、上述の実施形態に限定されるものではない。
【符号の説明】
【００７２】
１… 画像形成装置  ３… 筐体  ３Ｂ… 帯電器  ５… 画像形成部
７… プロセスカートリッジ  ７Ａ… 感光ドラム  ９… 露光器
１１… 定着器  １３… 転写ベルト  １５… 転写部  １７… 給紙トレイ
１９… フィーダ機構  ２１… メインフレーム  ２１Ａ… 補強部
２１Ｂ… 保持部  ２１Ｃ… 保持部  ２１Ｄ… 柱部  ２３… 電気基板
２３Ａ… 変圧器  ２３Ｃ… 第１端子部  ２３Ｅ… 第２端子部
２３Ｇ… 貫通穴  ２５… カバー  ２５Ａ… 規制部  ２７Ａ… 第１電極部材
２７Ｂ… 第２電極部材  ２９… 第１係止部  ２９Ａ… 突起部
３１… 第１係止部  ３３… 第２係止部  ３５… 第２係止部
３７… 第３係止部  ３９… 開口部  ３９Ａ… 電極部材
３９Ｂ… 電極部材  ３９Ｃ…リード線
【図１】
2014071218.tif 000003
【図２】
2014071218.tif 000004
【図３】
2014071218.tif 000005
【図４】
2014071218.tif 000006
【図５】
2014071218.tif 000007
【図６】
2014071218.tif 000008
【図７】
2014071218.tif 000009
【図８】
2014071218.tif 000010
【図９】
2014071218.tif 000011
【図１０】
2014071218.tif 000012